(57)【要約】【課題】  色分離によって複数色の色成分光を取得する場合であっても、ホワイトバランスを最適化することを可能とする投写型映像表示装置を提供する。【解決手段】  投写型映像表示装置１００は、複数色の色成分光によって再現される色度の基準値である基準色度を記憶する記憶部２２０と、複数色の色成分光によって再現される色度の実測値である実測色度を検出する色度センサ７０と、基準色度と実測色度との比較結果に基づいて、実測色度が基準色度に近づくように映像入力信号を映像出力信号に変換し、映像出力信号に基づいて、複数の光変調素子を制御する信号処理部２４０とを備える。【選択図】  図８
2010107779.tif 000002
【特許請求の範囲】
【請求項１】
光源から出射された光を複数色の色成分光に分離する色分離部と、前記複数色の色成分光毎に設けられており、前記複数色の色成分光を変調する複数の光変調素子と、前記複数の光変調素子から出射された光を合成する色合成部とを備えた投写型映像表示装置であって、
前記複数色の色成分光によって再現される色度の基準値である基準色度を記憶する記憶部と、
前記複数色の色成分光によって再現される色度の実測値である実測色度を検出する検出部と、
前記基準色度と前記実測色度との比較結果に基づいて、前記実測色度が前記基準色度に近づくように映像入力信号を映像出力信号に変換し、前記映像出力信号に基づいて、前記複数の光変調素子を制御する信号処理部とを備えることを特徴とする投写型映像表示装置。
【請求項２】
前記複数色の色成分光は、赤成分光、緑成分光及び青成分光であり、
前記映像入力信号は、赤入力信号、緑入力信号及び青入力信号であり、
前記映像出力信号は、赤出力信号、緑出力信号及び青出力信号であり、
前記複数の光変調素子は、前記赤出力信号に基づいて前記赤成分光を変調する赤光変調素子、前記緑出力信号に基づいて前記緑成分光を変調する緑光変調素子及び前記青出力信号に基づいて前記青成分光を変調する青光変調素子であることを特徴とする請求項１に記載の投写型映像表示装置。
【請求項３】
前記複数色の色成分光は、赤成分光、緑成分光、青成分光及び第４色成分光であり、
前記映像入力信号は、赤入力信号、緑入力信号、青入力信号であり、
前記映像出力信号は、赤出力信号、緑出力信号、青出力信号及び第４色出力信号あり、
前記複数の光変調素子は、前記赤出力信号に基づいて前記赤成分光を変調する赤光変調素子、前記緑出力信号に基づいて前記緑成分光を変調する緑光変調素子、前記青出力信号に基づいて前記青成分光を変調する青光変調素子及び前記第４色出力信号に基づいて前記第４色成分光を変調する第４色光変調素子であり、
前記複数色の色成分光のうち、いずれかの色成分光である重畳成分光は、前記第４色成分光とともに前記第４色光変調素子に入射し、
前記第４色光変調素子は、前記重畳成分光を変調せずに透過して、前記第４色成分光を変調して透過し、
前記第４色光変調素子から出射された前記重畳成分光及び前記第４色成分光は、前記複数の光変調素子のうち、前記重畳成分光に対応する特定の光変調素子に入射することを特徴とする請求項１に記載の投写型映像表示装置。
【請求項４】
前記記憶部は、前記重畳成分光に重畳される前記第４色成分光の光量に対応する前記基準色度を記憶することを特徴とする請求項３に記載の投写型映像表示装置。
【請求項５】
前記検出部は、自装置の起動時において、前記実測色度を検出することを特徴とする請求項１に記載の投写型映像表示装置。
【請求項６】
前記検出部は、自装置の停止時において、前記実測色度を検出することを特徴とする請求項１に記載の投写型映像表示装置。
【発明の詳細な説明】
【技術分野】
【０００１】
本発明は、複数色の色成分光毎に設けられており、複数色の色成分光を変調する複数の光変調素子を備えた投写型映像表示装置に関する。
【背景技術】
【０００２】
従来、複数色の色成分光から出射された光を合成して合成光を出射する映像光生成部と、映像光生成部から出射された合成光を投写する投写光学系とを有する投写型映像表示装置が知られている。
【０００３】
このような投写型映像表示装置では、映像品位の向上を図るために、映像光生成部から出射された合成光のホワイトバランスを最適化することが重要である。また、映像光生成部に設けられた光学部品（偏光板、液晶パネル、ＰＢＳ；Ｐｏｌａｒｉｚｅｄ  Ｂｅａｍ  Ｓｐｌｉｔｔｅｒなど）の経時劣化によって、ホワイトバランスのずれが生じることも考えられる。なお、経時劣化は、例えば、光学部品の黄変である。
【０００４】
このような背景において、光学部品の経時劣化を考慮して、ホワイトバランスのずれを抑制する投写型映像表示装置が提案されている（例えば、特許文献１）。
【０００５】
具体的には、投写型映像表示装置は、複数色の固体光源（例えば、ＬＥＤ；Ｌｉｇｈｔ  Ｅｍｉｔｔｉｎｇ  Ｄｉｏｄｅ）を用いることを前提としている。投写型映像表示装置は、ホワイトバランスのずれを検出した場合に、各色の固体光源の出射光量を調整して、ホワイトバランスの最適化を図っている。
【特許文献１】特開２００７−６５０１２号公報
【発明の開示】
【発明が解決しようとする課題】
【０００６】
しかしながら、上述した背景技術では、複数色の固体光源の出射光量を個別に制御することを前提としている。従って、例えば、白色光の分離によって複数色の色成分光を取得する投写型映像表示装置については、上述した背景技術を適用することができない。
【０００７】
そこで、本発明は、上述した課題を解決するためになされたものであり、色分離によって複数色の色成分光を取得する場合であっても、ホワイトバランスを最適化することを可能とする投写型映像表示装置を提供することを目的とする。
【課題を解決するための手段】
【０００８】
一の特徴に係る投写型映像表示装置は、光源（光源１０）から出射された光を複数色の色成分光に分離する色分離部（ミラー７２、ミラー７３）と、複数色の色成分光毎に設けられており、複数色の色成分光を変調する複数の光変調素子（液晶パネル５０Ｒ、液晶パネル５０Ｇ、液晶パネル５０Ｂ）と、複数の光変調素子から出射された光を合成する色合成部（クロスダイクロイックキューブ６０）とを備える。投写型映像表示装置は、複数色の色成分光によって再現される色度の基準値である基準色度を記憶する記憶部（記憶部２２０）と、複数色の色成分光によって再現される色度の実測値である実測色度を検出する検出部（色度センサ７０）と、基準色度と実測色度との比較結果に基づいて、実測色度が基準色度に近づくように映像入力信号を映像出力信号に変換し、映像出力信号に基づいて、複数の光変調素子を制御する信号処理部（信号処理部２４０）とを備える。
【０００９】
上述した特徴において、前記複数色の色成分光は、赤出力信号、緑成分光及び青成分光である。前記映像入力信号は、赤入力信号、緑入力信号及び青入力信号である。前記映像出力信号は、赤出力信号、緑出力信号及び青出力信号である。前記複数の光変調素子は、前記赤出力信号に基づいて前記赤成分光を変調する赤光変調素子（液晶パネル５０Ｒ）、前記緑出力信号に基づいて前記緑成分光を変調する緑光変調素子（液晶パネル５０Ｇ）及び前記青出力信号に基づいて前記青成分光を変調する青光変調素子（液晶パネル５０Ｂ）である。
【００１０】
上述した特徴において、前記複数色の色成分光は、赤成分光、緑成分光及び青成分光及び第４色成分光である。前記映像入力信号は、赤入力信号、緑入力信号及び青入力信号である。前記映像出力信号は、赤出力信号、緑出力信号、青出力信号及び第４色出力信号ある。前記複数の光変調素子は、前記赤出力信号に基づいて前記赤成分光を変調する赤光変調素子（液晶パネル５０Ｒ）、前記緑出力信号に基づいて前記緑成分光を変調する緑光変調素子（液晶パネル５０Ｇ）、前記青出力信号に基づいて前記青成分光を変調する青光変調素子（液晶パネル５０Ｂ）及び前記第４色出力信号に基づいて前記第４色成分光を変調する第４色光変調素子（偏光状態調整素子５０Ｙｅ）である。前記複数色の色成分光のうち、いずれかの色成分光である重畳成分光（例えば、緑成分光）は、前記第４色成分光とともに前記第４色光変調素子に入射する。前記第４色光変調素子は、前記重畳成分光を変調せずに透過して、前記第４色成分光を変調して透過する。前記第４色光変調素子から出射された前記重畳成分光及び前記第４色成分光は、前記複数の光変調素子のうち、前記重畳成分光に対応する特定の光変調素子（例えば、液晶パネル５０Ｇ）に入射する。
【００１１】
上述した特徴において、前記記憶部は、前記重畳成分光に重畳される前記第４色成分光の光量に対応する前記基準色度を記憶する。
【００１２】
上述した特徴において、前記検出部は、自装置の起動時において、前記実測色度を検出する。
【００１３】
上述した特徴において、前記検出部は、自装置の停止時において、前記実測色度を検出する。
【発明の効果】
【００１４】
本発明によれば、色分離によって複数色の色成分光を取得する場合であっても、ホワイトバランスを最適化することを可能とする投写型映像表示装置を提供することができる。
【発明を実施するための最良の形態】
【００１５】
以下において、本発明の実施形態に係る投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態では、投写型映像表示装置は、光源から出射された光を複数色の色成分光に分離する色分離部と、複数色の色成分光毎に設けられており、複数色の色成分光を変調する複数の光変調素子と、複数の光変調素子から出射された光を合成する色合成部とを備える。投写型映像表示装置は、複数色の色成分光によって再現される色度の基準値である基準色度を記憶する記憶部と、複数色の色成分光によって再現される色度の実測値である実測色度を検出する検出部と、基準色度と実測色度との比較結果に基づいて、実測色度が基準色度に近づくように映像入力信号を映像出力信号に変換し、映像出力信号に基づいて、複数の光変調素子を制御する信号処理部とを備える。
【００１８】
実施形態によれば、信号処理部は、実測色度が基準色度に近づくように映像入力信号を映像出力信号に変換する。また、信号処理部は、映像出力信号に基づいて、複数の光変調素子を制御する。
【００１９】
このように、信号処理によって実測色度が基準色度に近づけられるため、色分離によって複数色の色成分光を取得する場合であっても、ホワイトバランスを最適化できる。
【００２０】
なお、実施形態は、赤成分光、緑成分光及び青成分光を利用する３板式の投写型映像表示装置に適用可能である。また、赤成分光、緑成分光、青成分光及び第４色成分光を利用する４板式の投写型映像表示装置にも適用可能である。
【００２１】
［第１実施形態］
（投写型映像表示装置の構成）
以下において、第１実施形態に係る投写型映像表示装置について、図面を参照しながら説明する。図１は、第１実施形態に係る投写型映像表示装置１００を示す図である。第１実施形態では、赤成分光、緑成分光、青成分光及び黄成分光を利用する４板式の投写型映像表示装置１００について説明する。
【００２２】
図１に示すように、投写型映像表示装置１００は、投写レンズユニット１１０と、照明ユニット１２０とを有する。投写型映像表示装置１００は、後述するように、赤成分光、緑成分光及び青成分光に加えて、黄成分光を第４色成分光として利用する。
【００２３】
投写レンズユニット１１０は、照明ユニット１２０から出射された映像光を拡大して、スクリーン（不図示）上に映像光を投写する。
【００２４】
照明ユニット１２０は、光源１０と、ＵＶ／ＩＲカットフィルタ２０と、フライアイレンズユニット３０と、ＰＢＳアレイ４０と、複数の液晶パネル５０（液晶パネル５０Ｒ、液晶パネル５０Ｇ及び液晶パネル５０Ｂ）と、偏光状態調整素子５０Ｙｅと、クロスダイクロイックキューブ６０と、色度センサ７０とを備える。
【００２５】
光源１０は、白色光を発するＵＨＰランプなどである。すなわち、光源１０が発する光は、赤成分光、緑成分光、青成分光及び黄成分光を少なくとも含む。
【００２６】
ＵＶ／ＩＲカットフィルタ２０は、可視光成分（赤成分光、緑成分光及び青成分光）を透過する。ＵＶ／ＩＲカットフィルタ２０は、赤外光成分や紫外光成分を遮光する。
【００２７】
フライアイレンズユニット３０は、光源１０が発する光を均一化する。具体的には、フライアイレンズユニット３０は、フライアイレンズ３０ａ及びフライアイレンズ３０ｂによって構成される。フライアイレンズ３０ａ及びフライアイレンズ３０ｂは、それぞれ、複数の微少レンズによって構成される。各微少レンズは、光源１０が発する光が液晶パネル５０の全面に照射されるように、光源１０が発する光を集光する。
【００２８】
ＰＢＳアレイ４０は、フライアイレンズユニット３０から出射された光の偏光状態を揃える。例えば、ＰＢＳアレイ４０は、フライアイレンズユニット３０から出射された光をＳ偏光（又はＰ偏光）に揃える。
【００２９】
液晶パネル５０Ｒは、赤成分光の偏光方向を回転させることによって赤成分光を変調する。液晶パネル５０Ｒに光が入射する側には、一の偏光方向を有する光（例えば、Ｐ偏光）を透過して、他の偏光方向を有する光（例えば、Ｓ偏光）を遮光する偏光板５１Ｒが設けられる。一方で、液晶パネル５０Ｒから光が出射する側には、他の偏光方向を有する光（例えば、Ｓ偏光）を透過して、一の偏光方向を有する光（例えば、Ｐ偏光）を遮光する偏光板５２Ｒが設けられる。
【００３０】
従って、液晶パネル５０Ｒが赤成分光の偏光方向を回転させない場合には、偏光板５１Ｒを透過した赤成分光が偏光板５２Ｒで遮光されるため、赤成分光がクロスダイクロイックキューブ６０に照射されない。一方で、液晶パネル５０Ｒが赤成分光の偏光方向を回転させた場合には、偏光板５１Ｒを透過した赤成分光が偏光板５２Ｒを透過するため、赤成分光がクロスダイクロイックキューブ６０に照射される。
【００３１】
同様に、液晶パネル５０Ｇは、緑成分光及び黄成分光の偏光方向を回転させることによって緑成分光及び黄成分光を変調する。液晶パネル５０Ｇに光が入射する側には、一の偏光方向を有する光を透過して、他の偏光方向を有する光を遮光する偏光板５１Ｇが設けられる。一方で、液晶パネル５０Ｇから光が出射する側には、他の偏光方向を有する光を透過して、一の偏光方向を有する光を遮光する偏光板５２Ｇが設けられる。
【００３２】
液晶パネル５０Ｂは、青成分光の偏光方向を回転させることによって青成分光を変調する。液晶パネル５０Ｂに光が入射する側には、一の偏光方向を有する光を透過して、他の偏光方向を有する光を遮光する偏光板５１Ｂが設けられる。一方で、液晶パネル５０Ｂから光が出射する側には、他の偏光方向を有する光を透過して、一の偏光方向を有する光を遮光する偏光板５２Ｂが設けられる。
【００３３】
ここで、各液晶パネル５０には、コントラスト比や透過率を向上させる補償板が設けられていてもよい。また、各偏光板は、偏光板に入射する光の光量や熱負担を軽減させるプリ偏光板を有していてもよい。
【００３４】
偏光状態調整素子５０Ｙｅは、黄成分光の偏光状態を調整することによって黄成分光を変調する。一方で、偏光状態調整素子５０Ｙｅは、緑成分光の偏光状態を調整せずに緑成分光を透過する。
【００３５】
具体的には、偏光状態調整素子５０Ｙｅは、自素子に印加される電圧の状態に応じて、自素子に入射した直線偏光の偏光状態を調整可能な素子である。電圧印加状態は、電圧が印加されていない無電圧印加状態、低電圧が印加される低電圧印加状態、高電圧が印加される高電圧印加状態である。
【００３６】
例えば、偏光状態調整素子５０Ｙｅは、高電圧印加状態において、自素子に入射する直線偏光（黄成分光）の偏光方向を回転せずに直線偏光をそのまま出射する。一方で、偏光状態調整素子５０Ｙｅは、低電圧印加状態において、自素子に入射する直線偏光（黄成分光）の偏光方向を略９０°回転して、偏光方向が略９０°回転された直線偏光を出射する。
【００３７】
なお、偏光状態調整素子５０Ｙｅによる黄成分光の偏光状態の調整によって、偏光状態調整素子５０Ｙｅの光出射側に設けられた偏光板５１Ｇを透過する黄成分光の光量が制御される。
【００３８】
偏光状態調整素子５０Ｙｅとしては、ノッチフィルタタイプの素子とエッジフィルタタイプの素子とが考えられる。
【００３９】
ノッチフィルタタイプの素子は、特定波長帯域を有する光の偏光状態のみを調整することが可能である。例えば、ノッチフィルタタイプの素子は、緑よりも長波長帯域、すなわち、黄色の波長帯域を有する光の偏光状態のみを調整する。ノッチフィルタタイプの素子を用いることによって、不要光（例えば、黄成分光）を削減することが可能である。
【００４０】
エッジフィルタタイプの素子は、特定波長帯域を有する光の偏光状態を調整せずに、他の波長帯域を有する光の偏光状態を調整することが可能である。例えば、エッジフィルタタイプの素子は、緑の波長帯域を有する光の偏光状態を調整せずに、緑よりも長波長帯域及び短波長帯域を有する光の偏光状態を調整する。エッジフィルタタイプの素子を用いることによって、特定波長帯域を有する光（例えば、緑成分光）の色純度を高めることが可能である。
【００４１】
例えば、図２に示すように、偏光状態調整素子５０Ｙｅは、偏光状態調整素子５０Ｙｅに高電圧が印加される高電圧印加状態では、緑成分光及び黄成分光の偏光方向を回転させずに、緑成分光及び黄成分光を透過する。
【００４２】
一方で、図３に示すように、偏光状態調整素子５０Ｙｅは、偏光状態調整素子５０Ｙｅに低電圧が印加される低電圧印加状態では、黄成分光の偏光方向のみを９０°回転させて、緑成分光及び黄成分光を透過する。
【００４３】
ここで、偏光状態調整素子５０Ｙｅから出射された黄成分光及び緑成分光は、偏光板５１Ｇに照射される。偏光板５１Ｇは、一の偏光方向を有する光（例えば、Ｓ偏光）を透過して、他の偏光方向を有する光（例えば、Ｐ偏光）を遮光する。従って、偏光状態調整素子５０Ｙｅが黄成分光の偏光方向を回転させるか否かによって、クロスダイクロイックキューブ６０に到達する黄成分光の光量が制御される。
【００４４】
ここでは、偏光状態調整素子５０Ｙｅとして、エッジフィルタタイプの素子を用いるケースについて説明する。図４は、第１実施形態に係るエッジフィルタタイプの素子を説明するための図である。図４では、縦軸は、色成分光の偏光状態を調整せずに色成分光を透過する率（透過率）を示す。従って、透過率が高いほど、色成分光の偏光状態が調整されない。透過率が低いほど、色成分光の偏光状態が調整される。
【００４５】
図４に示すように、偏光状態調整素子５０Ｙｅは、高電圧が印加される高電圧印加状態において、緑成分光及び黄成分光の偏光状態を調整せずに緑成分光及び黄成分光を透過する。
【００４６】
一方で、偏光状態調整素子５０Ｙｅは、低電圧が印加される低電圧印加状態において、黄成分光の偏光状態を調整して、緑成分光及び黄成分光を透過する。
【００４７】
ここで、クロスダイクロイックキューブ６０に導かれる黄成分光の光量が制御される構成について、図５及び図６を参照しながら説明する。図５及び図６は、偏光状態調整素子５０Ｙｅ近傍の拡大図である。図５及び図６では、ＰＢＳアレイ４０によって色成分光がＳ偏光に揃えられているケースについて例示する。
【００４８】
図５に示すように、高電圧印加状態においては、偏光状態調整素子５０Ｙｅが緑成分光及び黄成分光の偏光状態を調整しない。従って、緑成分光及び黄成分光は、偏光板５１Ｇを透過する。
【００４９】
一方で、図６に示すように、低電圧印加状態においては、偏光状態調整素子５０Ｙｅが黄成分光の偏光状態を調整する。従って、緑成分光は、偏光板５１Ｇを透過するが、黄成分光は、偏光板５１Ｇで遮光される。
【００５０】
図１に戻って、クロスダイクロイックキューブ６０は、液晶パネル５０Ｒ、液晶パネル５０Ｇ及び液晶パネル５０Ｂから出射される光を合成する色合成部を構成する。すなわち、クロスダイクロイックキューブ６０は、液晶パネル５０Ｒから出射される赤成分光、液晶パネル５０Ｇから出射される緑成分光及び黄成分光、及び、液晶パネル５０Ｂから出射される青成分光を合成する。また、クロスダイクロイックキューブ６０は、赤成分光、緑成分光、青成分光及び黄成分光を含む合成光（映像光）を投写レンズユニット１１０側に出射する。
【００５１】
色度センサ７０は、クロスダイクロイックキューブ６０に導かれる複数色の色成分光によって再現される色度を検出する。複数色の色成分光の色度を検出できれば、色度センサ７０の配置位置は限定されない。
【００５２】
例えば、色度センサ７０は、クロスダイクロイックキューブ６０の一部に設けられていてもよい。また、色度センサ７０は、複数色の色成分光の光路上に出し入れ可能に構成されていてもよい。
【００５３】
図１に示すように、照明ユニット１２０は、複数のミラー群（ミラー７１〜ミラー７６）を有する。ミラー７１は、赤成分光、緑成分光、青成分光及び黄成分光を反射するミラーである。ミラー７２は、赤成分光、緑成分光及び黄成分光を反射して、青成分光を透過するダイクロイックミラーである。ミラー７３は、緑成分光及び黄成分光を反射して、赤成分光を透過するダイクロイックミラーである。ミラー７４は、青成分光を反射して液晶パネル５０Ｂ側に青成分光を導くミラーである。ミラー７５及びミラー７６は、赤成分光を反射して液晶パネル５０Ｒ側に赤成分光を導くミラーである。
【００５４】
なお、ミラー７１及びミラー７２は、光源１０から出射された光を複数色の色成分光に分離する色分離部を構成する。
【００５５】
また、照明ユニット１２０は、複数のレンズ群（レンズ８１〜レンズ８５）を有する。レンズ８１は、ＰＢＳアレイ４０から出射された光を集光するコンデンサレンズである。レンズ８２は、ミラー７１で反射された光を集光するコンデンサレンズである。レンズ８３Ｒは、液晶パネル５０Ｒに赤成分光が照射されるように、赤成分光を略平行光化する。レンズ８３Ｇは、液晶パネル５０Ｇに緑成分光が照射されるように、緑成分光を略平行光化する。レンズ８３Ｂは、液晶パネル５０Ｂに青成分光が照射されるように、青成分光を略平行光化する。リレーレンズ８４及びリレーレンズ８５は、赤成分光の拡大を抑制しながら、液晶パネル５０Ｒ上に赤成分光を略結像する。
【００５６】
（第４色光変調素子の機能）
以下において、第１実施形態に係る第４色光変調素子の機能について、図面を参照しながら説明する。図７は、第１実施形態に係る第４色光変調素子（偏光状態調整素子５０Ｙｅ）の機能について説明するための図である。
【００５７】
具体的には、図７では、偏光状態調整素子５０Ｙｅと偏光板５１Ｇとの組合せが示されている。偏光状態調整素子Ｙｅ−１は、電圧が印加された状態（電源ＯＮ）で黄成分光の偏光方向のみを９０°回転させる素子である。一方で、偏光状態調整素子Ｙｅ−２は、電圧が印加されていない状態（電源ＯＦＦ）で黄成分光の偏光方向のみを９０°回転させる素子である。
【００５８】
偏光板Ｇ−１は、Ｐ偏光を有する光を透過して、Ｓ偏光を有する光を遮光する素子である。偏光板Ｇ−１は、例えば、光源１０が発する光がＰ偏光に揃えられる場合に用いられる。一方で、偏光板Ｇ−２は、Ｓ偏光を有する光を透過して、Ｐ偏光を有する光を遮光する素子である。偏光板Ｇ−２は、例えば、光源１０が発する光がＳ偏光に揃えられる場合に用いられる。
【００５９】
第１に、光源１０が発する光がＰ偏光に揃えられるケースにおいて、偏光状態調整素子Ｙｅ−１を用いる場合について考えると、クロスダイクロイックキューブ６０に到達する黄成分光の光量は、偏光状態調整素子Ｙｅ−１に電圧が印加されていない状態（電源ＯＦＦ）で最大となる。
【００６０】
第２に、光源１０が発する光がＰ偏光に揃えられるケースにおいて、偏光状態調整素子Ｙｅ−２を用いる場合について考えると、クロスダイクロイックキューブ６０に到達する黄成分光の光量は、偏光状態調整素子Ｙｅ−２に電圧が印加された状態（電源ＯＮ）で最大となる。
【００６１】
第３に、光源１０が発する光がＳ偏光に揃えられるケースにおいて、偏光状態調整素子Ｙｅ−１を用いる場合について考えると、クロスダイクロイックキューブ６０に到達する黄成分光の光量は、偏光状態調整素子Ｙｅ−１に電圧が印加されていない状態（電源ＯＦＦ）で最大となる。
【００６２】
第４に、光源１０が発する光がＳ偏光に揃えられるケースにおいて、偏光状態調整素子Ｙｅ−２を用いる場合について考えると、クロスダイクロイックキューブ６０に到達する黄成分光の光量は、偏光状態調整素子Ｙｅ−２に電圧が印加された状態（電源ＯＮ）で最大となる。
【００６３】
（投写型映像表示装置の機能）
以下において、第１実施形態に係る投写型映像表示装置の機能について、図面を参照しながら説明する。図８は、第１実施形態に係る投写型映像表示装置１００の機能を示すブロック図である。
【００６４】
図８に示すように、投写型映像表示装置１００は、信号受付部２１０と、記憶部２２０と、色度取得部２３０と、信号処理部２４０とを含む制御ユニット２００を備える。
【００６５】
信号受付部２１０は、映像入力信号を受け付ける。例えば、信号受付部２１０は、ＤＶＤやＴＶチューナなどから映像入力信号を受け付ける。映像入力信号は、赤入力信号（Ｒｉｎ）、緑入力信号（Ｇｉｎ）及び青入力信号（Ｂｉｎ）を含む。
【００６６】
記憶部２２０は、複数色の色成分光によって再現される色度の基準値である基準色度を記憶する。基準色度は、例えば、複数色の色成分光によって再現される色度の初期値である。
【００６７】
ここで、基準色度は、工場出荷時において、色度センサ７０によって検出された色度であってもよい。また、基準色度は、設計等によって予め定められた値であってもよい。
【００６８】
なお、基準色度は、赤成分光、緑成分光、青成分光及び黄成分光の光量比が所定光量比である場合に、これらの色成分光によって再現される色度である。例えば、基準色度としては、赤成分光、緑成分光、青成分光及び黄成分光の光量が最大である場合に、これらの色成分光によって再現されるホワイトポイントを用いることができる。又は、基準色度としては、赤成分光、緑成分光及び青成分光の光量が最大であり、黄成分光の光量が最小である場合に、これらの色成分光によって再現されるホワイトポイントを用いることができる。
【００６９】
色度取得部２３０は、複数色の色成分光によって再現される色度の実測値である実測色度を取得する。具体的には、色度取得部２３０は、色度センサ７０に接続されており、色度センサ７０によって検出された色度を実測色度として取得する。
【００７０】
ここで、投写型映像表示装置１００の使用に伴って、液晶パネル５０に設けられた偏光板、フライアイレンズユニット３０、ＰＢＳアレイ４０などの光学部品の経時劣化が生じることに留意すべきである。実測色度は、光学部品の経時劣化が反映された色度であることに留意すべきである。
【００７１】
なお、実測色度は、基準色度と比較するための前提条件を揃えるために、赤成分光、緑成分光、青成分光及び黄成分光の光量比が所定光量比である場合に、色度センサ７０によって検出された色度を用いることが好ましい。
【００７２】
又は、赤成分光、緑成分光、青成分光及び黄成分光の光量比が所定光量比でない場合には、色度取得部２３０は、基準色度と比較するための前提条件を揃えるために、色度センサ７０によって検出された色度を補正し、補正された色度を実測色度として取得する。
【００７３】
ここで、光学部品の経時劣化の一例として、偏光板の経時劣化（黄変）について説明する。
【００７４】
例えば、液晶パネル５０Ｇに設けられた偏光板は、偏光板に照射される緑成分光や黄成分光によって発熱する。このような偏光板の経時劣化に伴って、緑成分光や黄成分光の透過率が上昇する。
【００７５】
また、液晶パネル５０Ｂに設けられた偏光板は、偏光板に照射される青成分光（例えば、紫外成分光）によって焼け付く。このような偏光板の経時劣化に伴って、青成分光の透過率が低下する。
【００７６】
信号処理部２４０は、映像入力信号を映像出力信号に変換する。具体的には、信号処理部２４０は、基準色度と実測色度との比較結果に基づいて、実測色度が基準色度に近づくように映像入力信号を映像出力信号に変換する。
【００７７】
映像出力信号は、赤出力信号（Ｒｏｕｔ）、緑出力信号（Ｇｏｕｔ）、青出力信号（Ｂｏｕｔ）及び黄出力信号（Ｙｅｏｕｔ）（第４色出力信号）を含む。
【００７８】
具体的には、信号処理部２４０は、赤入力信号（Ｒｉｎ）、緑入力信号（Ｇｉｎ）及び青入力信号（Ｂｉｎ）に基づいて、初期赤出力信号（ＩＲｏｕｔ）、初期緑出力信号（ＩＧｏｕｔ）、初期青出力信号（ＩＢｏｕｔ）及び初期黄出力信号（ＩＹｅｏｕｔ）を算出する。
【００７９】
例えば、信号処理部２４０は、以下に示すように、初期赤出力信号（ＩＲｏｕｔ）、初期緑出力信号（ＩＧｏｕｔ）、初期青出力信号（ＩＢｏｕｔ）及び初期黄出力信号（ＩＹｅｏｕｔ）を算出する。
【００８０】
第１に、信号処理部２４０は、以下の式（１）に従ってＹｅ置換信号Ｗを算出する。Ｙｅ置換信号Ｗは、赤成分光及び緑成分光を代替する黄成分光に相当する信号である。
【００８１】
Ｗ＝ｍｉｎ（Ｒｉｎ，Ｇｉｎ）・・・式（１）
なお、ｍｉｎ（Ｒｉｎ，Ｇｉｎ）は、赤入力信号（Ｒｉｎ）、緑入力信号（Ｇｉｎ）のうち、信号強度が低い入力信号である。
【００８２】
第２に、信号処理部２４０は、パラメータを用いて、初期赤出力信号（ＩＲｏｕｔ）、初期緑出力信号（ＩＧｏｕｔ）、初期青出力信号（ＩＢｏｕｔ）及び初期黄出力信号（ＩＹｅｏｕｔ）を算出する。パラメータとしては、色再現性を優先するパラメータα、輝度を優先するためのパラメータβが挙げられる。
【００８３】
パラメータαを用いるケースでは、信号処理部２４０は、以下の式（２）〜（５）に従って、各初期出力信号を算出する。
【００８４】
ＩＲｏｕｔ＝Ｒｉｎ−Ｗ×α・・・式（２）
ＩＧｏｕｔ＝Ｇｉｎ−Ｗ×α・・・式（３）
ＩＢｏｕｔ＝Ｂｉｎ・・・式（４）
ＩＹｅｏｕｔ＝Ｗ×α・・・式（５）
なお、パラメータαは、映像の彩度や輝度に応じて定められる。パラメータαの範囲は、例えば、“０”〜“１”の範囲である。例えば、映像に含まれる特定の色相（例えば、黄の色相）の彩度が高いほど、パラメータαとして大きな値が用いられる。
【００８５】
パラメータβを用いるケースでは、信号処理部２４０は、以下の式（６）〜（９）に従って、各初期出力信号を算出する。
【００８６】
ＩＲｏｕｔ＝Ｒｉｎ・・・式（６）
ＩＧｏｕｔ＝Ｇｉｎ・・・式（７）
ＩＢｏｕｔ＝Ｂｉｎ・・・式（８）
ＩＹｅｏｕｔ＝Ｗ×β・・・（式９）
なお、パラメータβは、映像の彩度や輝度に応じて定められる。パラメータβの範囲は、例えば、“０”〜“１”の範囲である。例えば、映像に含まれる特定の色相（例えば、青の色相）の彩度が低いほど、パラメータβとして小さな値が用いられる。
【００８７】
ここで、信号処理部２４０は、光学部品の経時劣化（黄変）がない場合には、赤出力信号（Ｒｏｕｔ）、緑出力信号（Ｇｏｕｔ）、青出力信号（Ｂｏｕｔ）及び黄出力信号（Ｙｅｏｕｔ）として、初期赤出力信号（ＩＲｏｕｔ）、初期緑出力信号（ＩＧｏｕｔ）、初期青出力信号（ＩＢｏｕｔ）及び初期黄出力信号（ＩＹｅｏｕｔ）を出力する。なお、光学部品の経時劣化（黄変）がないケースは、基準色度と実測色度とが一致するケースである。
【００８８】
一方で、信号処理部２４０は、光学部品の経時劣化（黄変）がある場合には、基準色度と実測色度との差分に応じて、実測色度を基準色度に近づけるように初期黄出力信号（ＩＹｅｏｕｔ）を補正する。なお、信号処理部２４０は、黄出力信号（Ｙｅｏｕｔ）として、初期黄出力信号（ＩＹｅｏｕｔ）の補正値を出力する。また、基本的には、信号処理部２４０は、赤出力信号（Ｒｏｕｔ）、緑出力信号（Ｇｏｕｔ）、青出力信号（Ｂｏｕｔ）として、初期赤出力信号（ＩＲｏｕｔ）、初期緑出力信号（ＩＧｏｕｔ）及び初期青出力信号（ＩＢｏｕｔ）を出力する。但し、初期黄出力信号（ＩＹｅｏｕｔ）の補正によっても、実測色度を基準色度に十分に近づけられない場合には、信号処理部２４０は、初期赤出力信号（ＩＲｏｕｔ）、初期緑出力信号（ＩＧｏｕｔ）又は初期青出力信号（ＩＢｏｕｔ）を補正してもよい。
【００８９】
（経時劣化及び信号変換の一例）
以下において、第１実施形態に係る経時劣化及び信号変換の一例について、図面を参照しながら説明する。図９は、第１実施形態に係る経時劣化及び信号変換の一例を説明するための図である。
【００９０】
図９では、黄成分光の重畳量が最小であるケースにおける色再現範囲は、Ｒｍｉｎ０、Ｇｍｉｎ０、Ｂｍｉｎ０で表されている。また、このようなケースにおけるホワイトポイントは、Ｗｍｉｎ０で表されている。一方で、黄成分光の重畳量が最大であるケースにおける色再現範囲が、Ｒｍａｘ０、Ｇｍａｘ０、Ｂｍａｘ０で表されている。また、このようなケースにおけるホワイトポイントは、Ｗｍａｘ０で表されている。なお、Ｗｍｉｎ０又はＷｍａｘ０は、基準色度として用いられる。
【００９１】
さらに、図９では、黄成分光の重畳量が最大であるケースにおいて、色度取得部２３０によって取得された実測色度は、Ｗｍａｘ１で表されている。ここで、Ｗｍａｘ１は、赤出力信号（Ｒｏｕｔ）、緑出力信号（Ｇｏｕｔ）、青出力信号（Ｂｏｕｔ）及び黄出力信号（Ｙｅｏｕｔ）の全てが最大値である場合に、赤成分光、緑成分光、青成分光及び黄成分光によって再現されるホワイトポイントである。
【００９２】
図９に示すように、Ｗｍａｘ１は、光学部品の経時劣化（黄変）に伴って、Ｗｍａｘ０から黄色側にずれている。このようなケースでは、初期黄出力信号（ＩＹｅｏｕｔ）の補正によって黄出力信号（Ｙｅｏｕｔ）を減少することによって、実測色度（Ｗｍａｘ１）が基準色度（Ｗｍａｘ０）に近づけられる。
【００９３】
すなわち、黄出力信号（Ｙｅｏｕｔ）の減少によって黄成分光を減少することによって、光学部品の経時劣化（黄変）を相殺する。これによって、実測色度（Ｗｍａｘ１）が基準色度（Ｗｍａｘ０）に近づけられる。
【００９４】
（作用及び効果）
第１実施形態では、信号処理部２４０は、実測色度が基準色度に近づくように映像入力信号を映像出力信号に変換する。また、信号処理部２４０は、映像出力信号に基づいて、複数の光変調素子を制御する。
【００９５】
このように、信号処理によって実測色度が基準色度に近づけられるため、色分離によって複数色の色成分光を取得する場合であっても、ホワイトバランスを最適化できる。
【００９６】
第１実施形態では、信号処理部２４０は、実測色度を基準色度に近づけるために、初期黄出力信号（ＩＹｅｏｕｔ）の補正によって黄出力信号（Ｙｅｏｕｔ）を減少する。従って、光学部品の黄変に伴う黄色側へのシフトを効率的に相殺することができる。
【００９７】
［第２実施形態］
以下において、第２実施形態について、図面を参照しながら説明する。以下においては、第１実施形態との相違点について主として説明する。
【００９８】
具体的には、第１実施形態では、赤成分光、緑成分光、青成分光及び第４色成分光を利用する４板式の投写型映像表示装置について説明した。これに対して、第２実施形態では、赤成分光、緑成分光及び青成分光を利用する３板式の投写型映像表示装置について説明する。
【００９９】
また、第１実施形態では、信号処理部２４０は、初期黄出力信号（ＩＹｅｏｕｔ）の補正によって黄出力信号（Ｙｅｏｕｔ）を減少する。これに対して、信号処理部２４０は、赤入力信号（Ｒｉｎ）及び緑入力信号（Ｇｉｎ）の補正によって、赤出力信号（Ｒｏｕｔ）及び緑出力信号（Ｇｏｕｔ）を減少する。
【０１００】
（投写型映像表示装置の構成）
以下において、第２実施形態に係る投写型映像表示装置について、図面を参照しながら説明する。図１０は、第２実施形態に係る投写型映像表示装置１００を示す図である。第２実施形態では、赤成分光、緑成分光及び青成分光を利用する３板式の投写型映像表示装置１００について説明する。
【０１０１】
なお、図１０では、図１と同様の構成について、同様の符号を付している。図１０に示すように、投写型映像表示装置１００は、図１に示す構成から偏光状態調整素子５０Ｙｅを除いた構成を有している。ここでは、図１と同様の構成の説明については省略する。
【０１０２】
（投写型映像表示装置の機能）
以下において、第２実施形態に係る投写型映像表示装置の機能について、図面を参照しながら説明する。図１１は、第２実施形態に係る投写型映像表示装置１００の機能を示すブロック図である。
【０１０３】
なお、図１１では、図８と同様の構成について、同様の符号を付している。図１１に示すように、投写型映像表示装置１００は、図８に示す構成から偏光状態調整素子５０Ｙｅを除いた構成を有している。ここでは、図８と同様の構成の説明については省略する。
【０１０４】
第２実施形態では、基準色度は、赤成分光、緑成分光及び青成分光の光量比が所定光量比である場合に、これらの色成分光によって再現される色度である。例えば、基準色度としては、赤成分光、緑成分光及び青成分光の光量が最大である場合に、これらの色成分光によって再現されるホワイトポイントを用いることができる。
【０１０５】
信号処理部２４０は、第１実施形態と同様に、映像入力信号を映像出力信号に変換する。具体的には、信号処理部２４０は、基準色度と実測色度との比較結果に基づいて、実測色度が基準色度に近づくように映像入力信号を映像出力信号に変換する。
【０１０６】
第２実施形態では、映像出力信号は、赤出力信号（Ｒｏｕｔ）、緑出力信号（Ｇｏｕｔ）及び青出力信号（Ｂｏｕｔ）を含む。映像出力信号は、黄出力信号（Ｙｅｏｕｔ）を含まないことに留意すべきである。
【０１０７】
信号処理部２４０は、光学部品の経時劣化（黄変）がない場合には、赤出力信号（Ｒｏｕｔ）、緑出力信号（Ｇｏｕｔ）及び青出力信号（Ｂｏｕｔ）として、赤入力信号（Ｒｉｎ）、緑入力信号（Ｇｉｎ）及び青入力信号（Ｂｉｎ）を出力する。なお、光学部品の経時劣化（黄変）がないケースは、基準色度と実測色度とが一致するケースである。
【０１０８】
一方で、信号処理部２４０は、光学部品の経時劣化（黄変）がある場合には、基準色度と実測色度との差分に応じて、実測色度を基準色度に近づけるように赤入力信号（Ｒｉｎ）及び緑入力信号（Ｇｉｎ）を補正する。なお、信号処理部２４０は、赤出力信号（Ｒｏｕｔ）及び緑出力信号（Ｇｏｕｔ）として、赤入力信号（Ｒｉｎ）及び緑入力信号（Ｇｉｎ）の補正値を出力する。また、基本的には、信号処理部２４０は、青出力信号（Ｂｏｕｔ）として、青入力信号（Ｂｉｎ）を出力する。但し、赤入力信号（Ｒｉｎ）及び緑入力信号（Ｇｉｎ）の補正によっても、実測色度を基準色度に十分に近づけられない場合には、信号処理部２４０は、青入力信号（Ｂｉｎ）を補正してもよい。
【０１０９】
（経時劣化及び信号変換の一例）
以下において、第２実施形態に係る経時劣化及び信号変換の一例について、図面を参照しながら説明する。図１２は、第２実施形態に係る経時劣化及び信号変換の一例を説明するための図である。
【０１１０】
図１２では、光学部品の経時劣化（黄変）前の色再現範囲は、Ｒ０、Ｇ０、Ｂ０で表されている。また、このようなケースにおけるホワイトポイントは、Ｗ０で表されている。なお、Ｗ０は、基準色度として用いられる。
【０１１１】
また、図１２では、光学部品の経時劣化（黄変）後の色再現範囲は、Ｒ１、Ｇ１、Ｂ１で表されている。また、このようなケースにおけるホワイトポイントは、Ｗ１で表されている。
【０１１２】
すなわち、色度取得部２３０によって取得された実測色度は、Ｗ１で表されている。ここで、Ｗ１は、赤出力信号（Ｒｏｕｔ）、緑出力信号（Ｇｏｕｔ）及び青出力信号（Ｂｏｕｔ）の全てが最大値である場合に、赤成分光、緑成分光及び青成分光によって再現されるホワイトポイントである。
【０１１３】
図１２に示すように、Ｗ１は、光学部品の経時劣化（黄変）に伴って、Ｗ０から黄色側にずれている。このようなケースでは、赤入力信号（Ｒｉｎ）及び緑入力信号（Ｇｉｎ）の補正によって赤出力信号（Ｒｏｕｔ）及び緑出力信号（Ｇｏｕｔ）を減少することによって、実測色度（Ｗ１）が基準色度（Ｗ０）に近づけられる。
【０１１４】
すなわち、赤出力信号（Ｒｏｕｔ）及び緑出力信号（Ｇｏｕｔ）の減少によって赤成分光及び緑成分光の合成光（黄色成分の光）を減少することによって、光学部品の経時劣化（黄変）を相殺する。これによって、実測色度（Ｗ１）が基準色度（Ｗ０）に近づけられる。
【０１１５】
（信号変換の演算の一例）
以下において、第２実施形態に係る信号変換の演算の一例について、図面を参照しながら説明する。図１３は、２つの光（Ｃ１及びＣ２）を合成して得られる合成光（Ｃ）について説明するためのパラメータを示す図である。
【０１１６】
具体的には、２つの光（Ｃ１及びＣ２）を合成して得られる合成光（Ｃ）の座標（ｘ，ｙ）は、以下の式（１０）、式（１１）によって表される。但し、光（Ｃ１）の座標は、（ｘ１，ｙ１）で表され、光（Ｃ２）の座標は、（ｘ２，ｙ２）で表される。
【０１１７】
ここで、光（Ｃ１）は、以下の式（１０）によって表され、光（Ｃ２）は、以下の式（１１）によって表される。
【０１１８】
Ｃ１＝Ｘ１×ｘ＋Ｙ１×ｙ＋Ｚ１×ｚ      ・・・式（１０）
Ｃ２＝Ｘ２×ｘ＋Ｙ２×ｙ＋Ｚ２×ｚ      ・・・式（１１）
なお、Ｘ１、Ｙ１、Ｚ１は、光（Ｃ１）の三刺激値であり、Ｘ２、Ｙ２、Ｚ２は、光（Ｃ２）の三刺激値である。
【０１１９】
従って、合成光（Ｃ）は、以下の式（１２）によって表される。
【０１２０】
Ｃ＝Ｃ１＋Ｃ２＝（Ｘ１＋Ｘ２）×ｘ＋（Ｙ１＋Ｙ２）×ｙ＋（Ｚ１＋Ｚ２）×ｚ      ・・・式（１２）
ここで、合成光（Ｃ）の三刺激値をＸ，Ｙ，Ｚで表すと、合成光（Ｃ）の座標（ｘ，ｙ）は、以下の式（１３）及び式（１４）によって表される。
【数１】
2010107779.tif 000003
【０１２１】
但し、Ｓ１＝Ｘ１＋Ｙ１＋Ｚ１であり、Ｓ２＝Ｘ２＋Ｙ２＋Ｚ２である。
【０１２２】
また、合成光（Ｃ）の光量（Ｌ）は、光（Ｃ１）の光量（Ｌ１）及び光（Ｃ２）の光量（Ｌ２）の合計であり、以下の式（１５）によって表される。
【０１２３】
Ｌ＝ｙ×Ｓ（Ｓ＝Ｘ＋Ｙ＋Ｚ）      ・・・式（１５）
この式（１５）の両辺を“ｙ”で除算すると、以下の式（１６）が得られる。すなわち、合成光（Ｃ）の刺激和は、以下の式（１６）で表される。
【０１２４】
Ｓ＝Ｌ／ｙ      ・・・式（１６）
同様に、光（Ｃ１）の刺激和（Ｓ１）及び光（Ｃ２）の刺激和（Ｓ２）は、以下の式（１７）及び式（１８）で表される。
【０１２５】
Ｓ１＝Ｌ１／ｙ１      ・・・式（１７）
Ｓ２＝Ｌ２／ｙ２      ・・・式（１８）
ここで、式（１７）及び式（１８）を式（１４）に代入すると、以下の式（１９）が得られる。
【数２】
2010107779.tif 000004
【０１２６】
式（１９）において、光（Ｃ１）の光量を“１”で表し、光（Ｃ２）の光量を“（Ｌ２／Ｌ１）”で表すと、式（２０）が得られる。
【数３】
2010107779.tif 000005
【０１２７】
光（Ｃ１）と光（Ｃ２）との光量比（Ｒ＝Ｌ２／Ｌ１）について式（２０）を解くと、式（２１）が得られる。
【数４】
2010107779.tif 000006
【０１２８】
以下において、図１２を参照しながら、赤成分光及び緑成分光の減少によって、実測色度（Ｗ１）を基準色度（Ｗ０）に近づける処理について説明する。
【０１２９】
図１２では、各点の座標は、ｘ軸及びｙ軸によって表される。ここでは、各点の座標は、（ｘ，ｙ）で表される。
【０１３０】
具体的には、Ｒ０、Ｇ０、Ｂ０、Ｗ０の座標は、それぞれ、（ｘR0，ｙR0）、（ｘG0，ｙG0）、（ｘB0，ｙＢ0）、（ｘＷ0，ｙＷ0）で表される。また、Ｒ１、Ｇ１、Ｂ１、Ｗ１の座標は、それぞれ、（ｘR１，ｙR１）、（ｘG１，ｙG１）、（ｘB１，ｙＢ１）、（ｘＷ１，ｙＷ１）で表される。また、図１２では、Ｂ１及びＷ０を結ぶ直線とＲ１及びＧ１を結ぶ直線との交点は、Ｙ１で表される。Ｙ１の座標は、（ｘｙ１，ｙｙ１）で表される。
【０１３１】
ここでは、光学部品の経時劣化（黄変）後において、赤成分光及び緑成分光の合成によって、座標Ｙ１を有する光を生成する方法について説明する。ここで、赤成分光と緑成分光との光量比（α＝Lｇ／Ｌｒ）は、式（２１）を流用して、以下の式（２２）で表される。
【数５】
2010107779.tif 000007
【０１３２】
続いて、座標Ｙ１を有する光と青成分光との合成によって、座標W０を有する光を生成する方法について説明する。ここで、赤成分光と緑成分光との光量比（β＝Lｂ／Ｌｙ）は、式（２１）を流用して、以下の式（２３）で表される。
【数６】
2010107779.tif 000008
【０１３３】
第２実施形態では、パラメータα及びパラメータβによって、基準色度（Ｗ０）を実現する赤成分光、緑成分光及び青成分光の光量比が求められる。
【０１３４】
すなわち、信号処理部２４０は、パラメータα及びパラメータβを用いて、赤入力信号（Ｒｉｎ）及び緑入力信号（Ｇｉｎ）を補正し、赤出力信号（Ｒｏｕｔ）及び緑出力信号（Ｇｏｕｔ）を減少させる。これによって、信号処理部２４０は、実測色度（Ｗ１）を基準色度（Ｗ０）に近づける。
【０１３５】
（作用及び効果）
第２実施形態では、信号処理部２４０は、実測色度を基準色度に近づけるために、赤入力信号（Ｒｉｎ）及び緑入力信号（Ｇｉｎ）の補正によって赤出力信号（Ｒｏｕｔ）及び緑出力信号（Ｇｏｕｔ）を減少する。従って、光学部品の黄変に伴う黄色側へのシフトを相殺することができる。
【０１３６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１３７】
上述した実施形態では特に触れていないが、基準色度は、黄成分光が最大値や最小値であるケースの色度に限定されるものではない。具体的には、記憶部２２０は、最小値と最大値との間において、黄成分光の重畳量に応じた基準色度を記憶していてもよい。
【０１３８】
上述した実施形態では特に触れていないが、実測色度を基準色度に近づける処理を行うタイミングとしては、（１）投写型映像表示装置１００の起動するタイミング、又は、（２）投写型映像表示装置１００の停止するタイミングが挙げられる。なお、（１）及び（２）のタイミングでは、少なくとも、実測色度が色度センサ７０によって検出されればよい。
【０１３９】
上述した実施形態では、黄成分光に重畳される重畳成分光は緑成分光であるが、これに限定されるものではない。黄成分光に重畳される重畳成分光は赤成分光であってもよい。この場合に、赤成分光は、黄成分光とともに偏光状態調整素子５０Ｙｅに入射する。但し、黄色は青色の補色であるため、黄成分光に重畳される重畳成分光は青成分光ではないことが好ましいことに留意すべきである。
【０１４０】
上述した実施形態では、第４色成分光が黄成分光であるが、これに限定されるものではない。第４色成分光は、シアン成分光、マゼンタ成分光などであってもよい。具体的には、シアン成分光に重畳される重畳成分光は緑成分光又は青成分光であることが好ましい。マゼンタ成分光に重畳される重畳成分光は赤成分光又は青成分光であることが好ましい。
【０１４１】
上述した実施形態では、第４色成分光が単一の色成分光であるが、これに限定されるものではない。第４色成分光は複数の色成分光であってもよい。
【０１４２】
上述した実施形態では、第４色光変調素子は解像度を有していない偏光状態調整素子５０Ｙｅであることを前提としているが、これに限定されるものではない。具体的には、第４色光変調素子は解像度を有する第４色用液晶パネルであってもよい。この場合には、第４色用液晶パネルの解像度は、電極などによる透過率の低下を防ぐために、液晶パネル５０Ｒ、液晶パネル５０Ｇ及び液晶パネル５０Ｂの解像度よりも低いことが好ましい。但し、第４色用液晶パネルの解像度は、液晶パネル５０Ｒ、液晶パネル５０Ｇ及び液晶パネル５０Ｂの解像度と同等であってもよいことに留意すべきである。
【図面の簡単な説明】
【０１４３】
【図１】第１実施形態に係る投写型映像表示装置１００を示す図である。
【図２】第１実施形態に係る偏光状態調整素子５０Ｙｅを示す図である。
【図３】第１実施形態に係る偏光状態調整素子５０Ｙｅを示す図である。
【図４】第１実施形態に係る偏光状態調整素子５０Ｙｅを示す図である。
【図５】第１実施形態に係る偏光状態調整素子５０Ｙｅの周辺拡大図である。
【図６】第１実施形態に係る偏光状態調整素子５０Ｙｅの周辺拡大図である。
【図７】第１実施形態に係る偏光状態調整素子５０Ｙｅの機能を示す図である。
【図８】第１実施形態に係る投写型映像表示装置１００を示すブロック図である。
【図９】第１実施形態に係る色度図を示す図である。
【図１０】第２実施形態に係る投写型映像表示装置１００を示す図である。
【図１１】第２実施形態に係る投写型映像表示装置１００を示すブロック図である。
【図１２】第２実施形態に係る色度図を示す図である。
【図１３】第２実施形態に係る色合成について説明するための図である。
【符号の説明】
【０１４４】
１０・・・光源、２０・・・ＵＶ／ＩＲカットフィルタ、３０・・・フライアイレンズユニット、４０・・・ＰＢＳアレイ、５０・・・液晶パネル、５１，５２・・・偏光板、６０・・・クロスダイクロイックキューブ、７０・・・色度センサ、１００・・・投写型映像表示装置、１１０・・・投写レンズユニット、１２０・・・照明ユニット、２００・・・制御ユニット、２１０・・・信号受付部、２２０・・・記憶部、２３０・・・色度取得部、２４０・・・信号処理部
【図１】
2010107779.tif 000009
【図２】
2010107779.tif 000010
【図３】
2010107779.tif 000011
【図４】
2010107779.tif 000012
【図５】
2010107779.tif 000013
【図６】
2010107779.tif 000014
【図７】
2010107779.tif 000015
【図８】
2010107779.tif 000016
【図９】
2010107779.tif 000017
【図１０】
2010107779.tif 000018
【図１１】
2010107779.tif 000019
【図１２】
2010107779.tif 000020
【図１３】
2010107779.tif 000021